(57)【特許請求の範囲】
【請求項１】
指袋（４）を予め手平側に屈曲させている縫製手袋であって、
手指の甲面を被覆する指甲材（２２）と手指の平面及び左右各側面をそれぞれ被覆する幅を有した指平材（１２）とで指袋（４）を縫製している一方、
前記指平材（１２）における指関節部（Ｆａ）が対応する位置に、指平材（１２）の左右両側縁の各一部を０．５ｍｍ〜１ｍｍ程度僅かに残して前記左側面（１４）と前記平面（１３）と前記右側面（１４）とにわたる凹弧状端縁（１５ａ，１５ｂ）が対向配置された形状の略楕円穴（１５）を形成しているとともに、
該略楕円穴（１５）の前記各凹弧状端縁（１５ａ，１５ｂ）を上下に重ね合わせた状態でその先端部同士を該各凹弧状端縁に沿って相互に縫合することにより、指甲材（２２）を含めて指袋（４）全体を手平側に向けて屈曲させている、
ことを特徴とする縫製手袋。
【請求項２】
指袋（４）を予め手平側に屈曲させている縫製手袋であって、
手指の甲面を被覆する指甲材（２２）と手指の平面及び左右各側面をそれぞれ被覆する幅を有した指平材（１２）とで指袋（４）を縫製している一方、
前記指平材（１２）は、指関節部（Ｆａ）が対応する位置で複数の分割指平材（１７）に分割し、且つ該各分割指平材（１７）の、前記左側面と前記平面と前記右側面とにわたる分割部端縁をそれぞれ凹弧状端縁（１７ａ，１７ｂ）としているとともに、
前記各分割指平材（１７）の凹弧状端縁（１７ａ，１７ｂ）を上下に重ね合わせた状態でその先端部同士を各凹弧状端縁（１７ａ，１７ｂ）に沿って相互に縫合することにより、指甲材（２２）を含めて指袋（４）全体を手平側に向けて屈曲させている、
ことを特徴とする縫製手袋。
【発明の詳細な説明】
【技術分野】
【０００１】
本願発明は、指袋部分を予め手平側に屈曲させた状態で縫製した縫製手袋に関するものである。
【背景技術】
【０００２】
例えばスキー用やオートバイ用等の比較的厚手の手袋においては、図９に示すように予め指袋１０４を手平側に屈曲させておくと、スキーストックのグリップやオートバイのハンドルグリップ等を握持するときに指の曲げ力が少なくて済むので、グリップがし易くなる。尚、予め手平側に屈曲させる指袋１０４は、主として小指から人差し指の４本であるが、親指袋も手平側に屈曲させたものがある。
【０００３】
ところで、図９に示す従来の縫製手袋においては、指袋（小指から人差し指までの４本の指袋）１０４を予め手平側に屈曲させるのに、図１０及び図１１に示すように手指の左右側面を被覆する各マチ材１０５，１０５を使用して各指袋１０４を手平側に屈曲させていた。
【０００４】
即ち、各指袋（親指袋を除く）１０４は、図１０に示すように指平材１１２と指甲材１２２と左右２枚のマチ材１０５，１０５とを使用し、各材の幅方向端縁同士を縫合することによって図１１に示すように袋状に縫製されるが、各マチ材１０５，１０５として湾曲形状に裁断したものを使用することによって、各指袋（親指袋を除く）１０４を図９のように手平側に屈曲させている。
【発明の開示】
【発明が解決しようとする課題】
【０００５】
ところで、図９に示す縫製手袋では、小指から人差し指までの各指袋１０４をそれぞれ予め手平側に屈曲させているが、マチ材１０５，１０５を使用したものでは、図１１に示すように指平材１１２の左右各端縁と各マチ材１０５，１０５の一端縁とが縫合されてその縫合部（縫い目線）Ｌ，Ｌが指袋１０４の全長に亘って形成される。この縫合部Ｌ，Ｌは、各側の生地の端縁を内側に向けた状態でその端縁同士を糸で縫合したものであるから、曲げ抵抗が大きくなるとともに指袋内の指平部両側にそれぞれ凸筋部が形成されることになる。
【０００６】
このように、図９〜図１１に示す従来の縫製手袋は、マチ材１０５を使用することにより予め指袋１０４を手平側に屈曲させておくことができるものの、指平材１１２の両側に縫合部Ｌ，Ｌが形成されるので、この手袋を装着して物品（グリップ）を握ったときに指平側の各縫合部Ｌ，Ｌが手指とグリップの間に介在して違和感を感じるとともに、該各縫合部Ｌ，Ｌが曲げ抵抗となって指袋１０４を曲げにくくする要因となっていた。
【０００７】
尚、従来の縫製手袋の中には、ガンカットタイプと称されるもので、指平材として手指の平面（ひらめん）と両側面を被覆し得る幅のものを使用して、指平側に縫合部ができないようにしたものもあるが、この場合（ガンカットタイプのもの）には、指袋を予め手平側に屈曲させた状態に縫製することができなかった。
【０００８】
そこで、本願発明は、ガンカットタイプで裁断した指平材を使用したものであっても、指袋が予め手平側に屈曲した状態で縫製されるようにした縫製手袋を提供することを目的としている。
【課題を解決するための手段】
【０００９】
本願発明は、上記課題を解決するための手段として、次の構成を有している。尚、本願発明は、指袋を予め手平側に屈曲させた状態で縫製した縫製手袋を対象にしている。又、本願発明の縫製手袋は、主としてスキー用やオートバイ用等の比較的厚手で、且つ使用時にグリップを握持するものに適用されるが、ゴルフ用やバッティング用等の比較的薄手のものにも使用可能である。
【００１０】
本願請求項１の発明
本願請求項１の発明の縫製手袋では、手指の甲面を被覆する指甲材と手指の平面及び左右各側面をそれぞれ被覆する幅を有した指平材とで指袋を縫製している。即ち、指平材は、ガンカットタイプと称される形式で裁断されたものが使用され、その指平材の左右各端縁と指甲材の左右各端縁とをそれぞれ縫合して指袋を形成している。尚、このガンカットタイプの指袋は、主として小指から人差し指の４本の指袋に適用されるが、例えばオートバイ用に使用される手袋では、４本の指袋のうちの小指と薬指の２本にのみ適用したものでもよい。
【００１１】
前記指平材には、手指の関節部が対応する位置に指平材の左右両側縁の各一部を０．５ｍｍ〜１ｍｍ程度僅かに残して左側面と平面と右側面とにわたる凹弧状端縁が対向配置された形状の略楕円穴を形成している。この略楕円穴は、後述するように指関節部において指袋を手平側に屈曲させるためのものであるが、該略楕円穴は、５本の指袋全部の指平材に設けてもよいし、小指から人差し指の４本の指袋の指平材に設けてもよいし、小指と薬指の２本の指袋のみの指平材に設けてもよい。尚、略楕円穴は、小指から人差し指の４本の指袋については指関節部が２箇所ある関係でそれぞれ指平材の２箇所に形成し、親指袋については指関節部が１箇所であるので指平材の１箇所に形成する。
【００１２】
この請求項１の縫製手袋では、略楕円穴は指平材の左右両側縁の各一部を残した状態で形成されているので、各指平材は１枚ものとして連続しており、後述する請求項２のように部品点数が多くならない。
【００１３】
そして、この請求項１の縫製手袋では、指平材に形成した略楕円穴の各凹弧状端縁同士を該各凹弧状端縁に沿って相互に縫合することにより、指甲材を含む指袋を手平側に向けて屈曲させている。この場合、略楕円穴の各凹弧状端縁同士の縫合部は、該各端縁をそれぞれ指袋内に向けて折り返した状態でその先端部同士を縫合するが、この縫合部は手袋装着状態で手指の各関節部（第１関節部と第２関節部）が位置する部分において指幅方向（関節部の皺方向）に形成される。
【００１４】
本願請求項１の縫製手袋では、指平材と指甲材とが指甲側の左右位置で縫合されているだけで、指平側には指平材と指甲材との縫合部は存在しない。従って、この手袋を装着してグリップを握持したときに、手指とグリップの間に指平材と指甲材との縫合部が介在しない。
【００１５】
又、指袋の指平材部分には、各凹弧状端縁同士の縫合部が形成されるが、この縫合部は、手袋装着状態で手指の各関節部（指を曲げたときに凹む）が位置する部分において指幅方向に形成されるので、この縫合部が手指にさほど強く当たらない。
【００１６】
本願請求項２の発明
本願請求項２の発明の縫製手袋は、指平材以外の構成は上記請求項１のものと同じである。そして、この請求項２の縫製手袋では、指平材を指関節部が対応する位置で複数（通常は３つ）の分割指平材に分割し、且つ該各分割指平材の、左側面と平面と右側面とにわたる分割部端縁をそれぞれ凹弧状端縁にしておくとともに、各分割指平材をそれぞれ各凹弧状端縁に沿って相互に縫合することにより、指甲材を含めて指袋全体を手平側に向けて屈曲させている。
【００１７】
この請求項２の場合は、指平材が複数（３つ）の分割指平材に分割されて部品点数が多くなるが、各分割指平材の凹弧状端縁同士を縫合するのに、各側の凹弧状端縁を上下に重合させた状態で行える。従って、各凹弧状端縁同士の縫合部が指袋内に突出することがない。
【発明の効果】
【００１８】
本願の請求項１及び請求項２の縫製手袋は、指平材としていわゆるガンカットタイプ（手指の平面及び左右各側面をそれぞれ被覆する幅を有している）で裁断したものであっても、該指平材の各凹弧状端縁同士を縫合することによって、指袋を手平側に屈曲させている。
【００１９】
従って、請求項１及び請求項２の共通の効果として、指平側に指平材と指甲材との縫合部がないものでも、指袋を手平側に屈曲させた状態で縫製できるという効果がある。尚、各凹弧状端縁同士の縫合部は、手袋装着状態において指関節部に位置するので、手指を曲げても手指の平面（ひらめん）に対して縫合部がさほど強く当たらない（縫合部による違和感がほとんどない）。
【００２０】
又、本願請求項２のように、複数に分割した各分割指平材の凹弧状端縁同士を縫合して、指袋を手平側に屈曲させるようにしたものでは、各凹弧状端縁同士を上下に重合させた状態で縫合できるので、その縫合部が指袋内に突出しなくなる。
【００２１】
従って、この請求項２の縫製手袋では、手袋装着状態において上記縫合部が手指平面に一層当たりにくくなり、指平材に指袋屈曲用の縫合部が形成されたものであっても、請求項１のものより装着感覚が良好になるという効果がある。
【発明を実施するための最良の形態】
【００２２】
図１〜図８を参照して本願発明の実施例を説明すると、図１〜図５には第１実施例の縫製手袋が示され、図６〜図８には第２実施例の縫製手袋が示されている。
【００２３】
図１〜図５の第１実施例
この第１実施例の縫製手袋は、本願請求項１に対応するものである。そして、この第１実施例の縫製手袋は、図１に示すように、手平材１と手甲材２と親指袋材３とを基本部材として縫製されている。即ち、この第１実施例の縫製手袋は、図４に示す手平材１と手甲材２と別材からなる親指袋材３とで図１に示すように縫製されている。
【００２４】
これらの生地（手平材１、手甲材２、親指袋材３）には、主として皮革又は合成皮革が使用されている。尚、本願で使用される縫製手袋は、主としてスキー用やオートバイ用等の比較的厚手で、且つ使用時にグリップを握持するものに適用されるが、ゴルフ用やバッティング用等の比較的薄手のものにも使用可能である。
【００２５】
図４には、手平材１と手甲材２における裁断状態の平面図を示している。手平材１は、いわゆるガンカットタイプに裁断されたもので、掌部１１に人差し指用と小指用の２つの指平材１２，１２を一体裁断しているとともに、中指用と薬指用の２つの指平材１２，１２を別裁断している。又、手甲材２は、掌部２１に小指から人差し指までの４本の指甲材２２，２２・・を一体裁断している。
【００２６】
４つの指平材１２，１２・・は、それぞれ手指の平面（ひらめん）と左右各側面を被覆し得る幅を有している。即ち、各指平材１２は、平面被覆部１３の左右にそれぞれ側面被覆部１４，１４を有する幅で裁断されている。
【００２７】
４つの指平材１２，１２・・には、図４及び図５（Ａ）に示すように、各手指の２つの関節部（第１関節部と第２関節部）が対応する位置にそれぞれ指平材１２の左右両側縁の各一部（０.５〜１mm程度）を残して略楕円穴１５，１５が２箇所ずつ打抜き形成されている。この各略楕円穴１５，１５には、それぞれ凹弧状端縁１５ａ，１５ｂが対向配置された位置に形成されている。尚、この各略楕円穴１５は、指平材１２の左右両側縁の各一部を残した状態で形成されているので、各指平材１２，１２・・は１枚ものとして連続している。
【００２８】
この各略楕円穴１５，１５は、後述するように指関節部Ｆａ（図３）が対応する位置において指袋を手平側に屈曲させるためのものであるが、この第１実施例では、図４に示すように４つの各指平材１２，１２・・にそれぞれ略楕円穴１５を２箇所ずつ形成している。尚、例えばオートバイ用に使用する手袋では、小指と薬指の２本の指袋のみを手平側に屈曲させたものがあり、その場合には略楕円穴１５を小指袋と薬指袋の各指平材のみに形成してもよい。又、親指袋材３（図１）も内側に屈曲させる場合には、該親指袋材３の指平材にも親指の関節部が対応する位置に略楕円穴を形成する。
【００２９】
指平材１２の各略楕円穴１５，１５には、それぞれ凹弧状端縁１５ａ，１５ｂが対向配置されている。そして、指平材１２は、略楕円穴１５の各凹弧状端縁１５ａ，１５ｂ同士を該各凹弧状端縁に沿って相互に縫合することにより、図５（Ｂ）に示すように指平側に向けて屈曲させることができる。尚、各凹弧状端縁１５ａ，１５ｂの凹弧部の深さは、指袋の関節部対応位置をどの程度屈曲させるかによって決められ、該凹弧部の深さを深くするほど指袋関節部を大きく屈曲させることができる。
【００３０】
この第１実施例の縫製手袋は、図４に示す手平材１と手甲材２と図１の親指袋材３とで縫製されるが、その場合、小指から人差し指の各指袋４は図５の（Ａ）〜（Ｃ）のようにして縫製される。
【００３１】
即ち、図５（Ａ）は指平材１２を展張させた状態を示しているが、この指平材１２には手指の平面被覆部１３とその左右に各側面被覆部１４，１４とが一体に裁断されている。この展張状態から図５（Ｂ）に示すように、指平材１２を幅方向にＵ型に湾曲させるとともに、各略楕円穴１５，１５の対向する各凹弧状端縁１５ａ，１５ｂ同士を該各凹弧状端縁に沿って相互に縫合する。尚、この第１実施例のものでは、各凹弧状端縁１５ａ，１５ｂは、それぞれ指袋内に向けて折り返した状態でその先端部同士を縫合する（図３の縫合部Ｍを参照）。このように略楕円穴１５の各凹弧状端縁１５ａ，１５ｂ同士を縫合すると、略楕円穴１５部分が引き寄せられることにより、各凹弧状端縁１５ａ，１５ｂの縫合部Ｍ，Ｍで指平材１２が指平側に屈曲するようになる。
【００３２】
そして、図５（Ｂ）の状態から図５（Ｃ）に示すように、指平材１２の左右各端縁と指甲材２２の左右各端縁とを縫合する（縫合部Ｎ，Ｎ）ことにより、指袋４の形状に縫製できる。尚、各部の縫合部Ｍ，Ｎは、各生地の裏側から縫合する。又、手平材１と手甲材２のその他の部分及び親指袋材３は、それぞれ従来から行われている常法により縫合して、図１の手袋に縫製する。又、図１の第１実施例では、親指袋材３の指関節部対応位置にも指平側に屈曲させるための上記と同様の加工（略楕円穴の各凹弧状端縁の縫合部Ｍ）を施している。
【００３３】
この第１実施例の縫製手袋では、指平材１２と指甲材２２とが指甲側の左右位置で縫合されているだけで、図２に示すように指平側には指平材１２と指甲材２２との縫合部は存在しない。従って、この手袋を装着してグリップを握持したときに、手指とグリップの間に指平材１２と指甲材２２との縫合部が介在しないので、違和感がなく装着感覚が良好となる。又、各指袋４の指平側に縫合部が存在しない状態で指袋４を手平側に屈曲させることができるので、この縫製手袋を装着してグリップを握持する際に、縫合部による違和感がない状態で且つ小さい曲げ力で握持できる。
【００３４】
図６〜図８の第２実施例
この第２実施例の縫製手袋は、本願請求項２に対応するもので、指平材１２部分の変形例を示している。尚、第２実施例の縫製手袋の全体形状は、図１のものと同じである。
【００３５】
この第２実施例の縫製手袋では、図６及び図７（Ａ）に示すように４つの指平材１２，１２・・をそれぞれ指関節部が対応する位置で複数（３つ）の分割指平材１７，１７，１７に分割している。又、各分割指平材１７，１７，１７は、その分割部端縁をそれぞれ凹弧状端縁（１７ａ又は１７ｂ）としている。尚、この第２実施例の各指平材１２，１２・・の分割指平材１７，１７，１７は、上記第１実施例の指平材における略楕円穴部分で分離させたものであり、その他の構成は第１実施例のものと同じである。
【００３６】
この第２実施例の縫製手袋は、指袋４部分を図７の（Ａ）〜（Ｃ）に示すようにして縫製する。
【００３７】
まず、図７（Ａ）に示す展開状態の３つの分割指平材１７，１７，１７を、図７（Ｂ）に示すようにそれぞれ幅方向にＵ型に湾曲させるとともに、各分割指平材１７，１７の対向する各凹弧状端縁１７ａ，１７ｂ同士を該各凹弧状端縁に沿って相互に縫合する。その際、この第２実施例のものでは、各凹弧状端縁１７ａ，１７ｂを上下に重ね合わせた状態でその先端部同士を縫合する（図８の縫合部Ｍを参照）。このように各側の分割指平材１７，１７の凹弧状端縁１７ａ，１７ｂ同士を縫合すると、該縫合部Ｍで指平材１２が指平側に屈曲した状態で連続する。
【００３８】
そして、図７（Ｂ）の状態から図７（Ｃ）に示すように、指平材１２の左右各端縁と指甲材２２の左右各端縁とを縫合する（縫合部Ｎ，Ｎ）ことにより、指袋４の形状に縫製できる。尚、その他の部分の縫合は、上記第１実施例のものと同じである。
【００３９】
この第２実施例の縫製手袋の場合も、上記第１実施例のものと同様に、指袋４の指平部分に指平材１２と指甲材２２の縫合線は存在せず、且つ各指袋４を予め手平側に屈曲させた状態で縫製できるので、手袋装着感覚が良好になるとともに曲げ力が少なくて済む。
【００４０】
又、この第２実施例の場合は、複数（３つ）の分割指平材１７，１７，１７の凹弧状端縁１７ａ，１７ｂ同士を縫合するのに、各側の凹弧状端縁１７ａ，１７ｂを上下に重合させた状態で行えるので、図８に示すように各凹弧状端縁１７ａ，１７ｂ同士の縫合部Ｍが平面的になり（指袋内に突出する部分がなくなる）、手袋装着時において指袋屈曲のための各縫合部Ｍ，Ｍに違和感を感じなくなる。
【図面の簡単な説明】
【００４１】
【図１】本願第１実施例の縫製手袋の親指袋側から見た側面図である。
【図２】図１のII−II拡大断面図である。
【図３】図１の縫製手袋の指袋部分の長手方向断面図である。
【図４】図１の縫製手袋に使用される手平材と手甲材の展開図である。
【図５】図１の縫製手袋の指袋部分の縫製方法説明図である。
【図６】本願第２実施例の縫製手袋に使用される手平材と手甲材の展開図である。
【図７】本願第２実施例（図６）の縫製手袋の指袋部分の縫製方法説明図である。
【図８】本願第２実施例の縫製手袋の指袋部分の長手方向断面図である。
【図９】従来の縫製手袋の親指袋側から見た側面図である。
【図１０】図９の縫製手袋の指袋部分に使用される指袋材料の分解斜視図である。
【図１１】図９のXI−XI拡大断面図である。
【符号の説明】
【００４２】
１は手平材、２は手甲材、３は親指袋材、４は指袋、１２は指平材、１３は平面被覆部、１４は側面被覆部、１５は略楕円穴、１５ａ，１５ｂは凹弧状端縁、１７は分割指平材、１７ａ，１７ｂは凹弧状端縁、Ｍは縫合部である。
【図１】
0004742070.tif 000002
【図２】
0004742070.tif 000003
【図３】
0004742070.tif 000004
【図４】
0004742070.tif 000005
【図５】
0004742070.tif 000006
【図６】
0004742070.tif 000007
【図７】
0004742070.tif 000008
【図８】
0004742070.tif 000009
【図９】
0004742070.tif 000010
【図１０】
0004742070.tif 000011
【図１１】
0004742070.tif 000012